(57)【特許請求の範囲】
【請求項１】
内部に鍋収納部が形成された有底筒状の炊飯器本体と、
前記鍋収納部に収納される鍋と、
前記鍋を加熱する鍋加熱装置と、
前記炊飯器本体の開口部の周囲の一部に配置されたヒンジ軸を中心に開状態と閉状態との間で回動して前記炊飯器本体の開口部を開閉可能な蓋本体と、
前記蓋本体の内蓋装着位置に着脱自在に固定されて、前記鍋の開口部を密閉可能な内蓋と、
前記蓋本体に配置され、前記蓋本体が開状態であるときに前記内蓋装着位置での固定が解除されて前記蓋本体から離れる側に倒れる前記内蓋を、前記内蓋装着位置と前記炊飯器本体の開口部で形成される開口面とに対して傾斜した位置で抜き差し可能に係止するとともに、前記内蓋を前記傾斜位置で係止した状態で前記蓋本体が開状態から閉状態に回転されるときに前記内蓋を前記内蓋装着位置に向けて案内する内蓋係止案内部と、
を備える炊飯器。
【請求項２】
前記内蓋係止案内部は、
前記内蓋を前記傾斜位置で抜き差し可能に係止する内蓋係止部と、
前記内蓋を前記内蓋装着位置に向けて案内する内蓋案内部と、を備え、
前記内蓋案内部は、
前記蓋本体の開状態から閉状態への回転に伴い前記内蓋を前記傾斜位置から前記内蓋装着位置に向けて案内するときにおいて、
前記傾斜位置から前記内蓋装着位置に向かう前記内蓋の移動経路内に前記内蓋が位置するときは、前記内蓋を前記移動経路に沿って案内し、前記内蓋が前記移動経路から外れているときは、前記内蓋を前記移動経路内に戻すように案内することを特徴とする請求項１に記載の炊飯器。
【請求項３】
前記内蓋案内部は、
前記内蓋の内面において、前記ヒンジ軸と平行な第１の方向、当該第１の方向に直交する第２の方向、及び当該第１及び第２の方向に直交する前記内蓋の厚み方向のまわりを回転する第３の方向における前記内蓋の移動を案内して、前記傾斜位置から前記内蓋装着位置に向かう前記内蓋の移動経路内に前記内蓋が位置するときは、前記内蓋を前記移動経路に沿って案内し、前記内蓋が前記移動経路から外れているときは、前記内蓋を前記移動経路内に戻すように案内することを特徴とする請求項２に記載の炊飯器。
【請求項４】
前記内蓋案内部は、
前記第１及び第３の方向における前記内蓋の移動を案内する第１案内部と、
前記第２の方向における前記内蓋の移動を案内する第２案内部と、
を有することを特徴とする請求項３に記載の炊飯器。
【請求項５】
前記内蓋案内部は、
前記内蓋装着位置に向かって収束するように形成されたテーパ部を備え、当該テーパ部の内面に沿って前記内蓋が移動されることで、前記内蓋を前記内蓋装着位置に案内することを特徴とする請求項２に記載の炊飯器。
【請求項６】
前記内蓋案内部は、
前記内蓋装着位置に向かって収束するように傾斜した案内用突起を備え、当該案内用突起に沿って前記内蓋が移動されることで、前記内蓋を前記内蓋装着位置に案内することを特徴とする請求項２に記載の炊飯器。
【請求項７】
前記内蓋は、縁部の一部に断面Ｕ字状の溝部を有し、
前記内蓋係止部は、
前記蓋本体の前記内蓋装着位置より前記ヒンジ軸側に配置されるとともに前記内蓋の前記溝部が抜き差し可能に形成された係止用突起部を備え、前記内蓋の厚み方向における前記溝部の対向する一対の壁面のそれぞれに前記係止用突起部が当接することで、前記内蓋を前記傾斜位置で係止することを特徴とする請求項２〜６のいずれか１つに記載の炊飯器。
【請求項８】
前記内蓋係止部は、
前記蓋本体の前記内蓋装着位置より前記ヒンジ軸側に配置されるとともに前記内蓋の縁部の一部が抜き差し可能な断面Ｕ字状の係止用溝部を備え、前記内蓋の厚み方向における前記係止用溝部の対向する一対の壁面のそれぞれに前記内蓋の前記一部が当接することで、前記内蓋を前記傾斜位置で係止することを特徴とする請求項２〜６のいずれか１つに記載の炊飯器。
【請求項９】
前記内蓋係止部は、
前記蓋本体の前記内蓋装着位置より前記ヒンジ軸側に配置されるとともに、前記内蓋の縁部の前記蓋本体から離れる側の面の一部に当接可能な複数の係止用突起を備え、前記複数の係止用突起と、前記複数の係止用突起に対向する蓋本体の面の一部とに前記内蓋の前記一部が当接することで、前記内蓋を前記傾斜位置で係止することを特徴とする請求項２〜６のいずれか１つに記載の炊飯器。
【請求項１０】
さらに、前記蓋本体が閉状態であるときに、前記蓋本体を前記炊飯器本体に解除可能に固定する蓋本体固定部を有し、
前記蓋本体は、前記内蓋を前記内蓋装着位置で固定する、前記蓋本体固定部とは別の内蓋固定部を有する、
ことを特徴とする請求項１〜９のいずれか１つに記載の炊飯器。
【請求項１１】
前記蓋本体は、前記内蓋を前記内蓋装着位置で固定するとともに、前記蓋本体が閉状態であるときに、前記蓋本体を前記炊飯器本体に解除可能に固定する蓋固定部を有することを特徴とする請求項１〜９のいずれか１つに記載の炊飯器。
【発明の詳細な説明】
【技術分野】
【０００１】
本発明は、内蓋を有する炊飯器に関するものである。
【背景技術】
【０００２】
従来から、使用者が片手で容易に蓋本体から内蓋を取り外すことのできる炊飯器は考案されている（例えば、特許文献１参照）。
【０００３】
図２６は、特許文献１に記載された従来の炊飯器の構成を示す断面図である。図２６に示すように、従来の炊飯器は、略有底筒状の炊飯器本体１０１と、炊飯器本体１０１内に収納される鍋１０２と、炊飯器本体１０１の開口部を開閉可能に炊飯器本体１０１に取り付けられた蓋本体１０３と、蓋本体１０３の内側（鍋１０２の開口部を覆う側）に着脱自在に取り付けられて、鍋１０２の開口部を密閉可能な円盤状の内蓋１０４とを備えている。
【０００４】
蓋本体１０３は、炊飯器本体１０１に両端部を回動自在に固定されて蓋本体１０３の開閉軸となるヒンジ軸１０７と、内蓋１０４の後端部１０４ａ（ヒンジ軸１０７側の縁部）を係止できるように後方（ヒンジ軸１０７側）へ凹んだ内蓋係止部１０５と、内蓋１０４の先端部１０４ｂ（ヒンジ軸１０７から離れる側の縁部）に係合して内蓋１０４を蓋本体１０３の内蓋装着位置に固定可能な内蓋固定部１０６とを備えている。
【０００５】
内蓋１０４の外周部には、蓋本体１０３が閉状態であるときに、鍋１０２と内蓋１０４との隙間を塞ぐ内蓋パッキン１０８が取り付けられている。また、内蓋１０４は、蓋本体１０３が開状態であるときから内蓋固定部１０６が解除されたとき、図２６に示すように、内蓋１０４の後端部１０４ａが内蓋係止部１０５に係止された状態で、Ｘ１方向（鍋１０２の開口部を覆う方向）へ自重により回転して、蓋本体１０３に対して傾斜するように設けられている。
内蓋係止部１０５は、内蓋１０４が蓋本体１０３に対して所定の角度まで傾いたときに、内蓋１０４の後端部１０４ａの鍋１０２側の部分と当接する係止突起１０５ａと、後端部１０４ａの蓋１０３側の部分に当接する微小突起１０５ｂとを備えている。
【０００６】
以上のように構成される従来の炊飯器においては、内蓋１０４を取り外す際、内蓋固定部１０６による内蓋１０４の固定を解除すると、内蓋１０４は、自重により鍋１０２側へ倒れる。このとき、後端部１０４ａの鍋１０２側の部分が微小突起１０５ｂに当接したのち、当該当接部分を支点に回転して、後端部１０４ａの蓋本体１０３側の部分が微小突起１０５ｂに当接する。これにより、内蓋１０４は、図２６に示すように、蓋本体１０３に対して所定の角度で傾斜した位置で係止される。このとき、内蓋１０４は、内蓋固定部１０６による固定が解除された途端に蓋本体１０３から離れて鍋１０２や床に落下することはない。
【０００７】
したがって、従来の炊飯器においては、片手で内蓋固定部１０６の固定を解除するときに、もう一方の手で内蓋１０４を支えておく必要がない。また、従来の炊飯器においては、内蓋固定部１０６による固定を解除して内蓋１０４を傾斜位置で係止させた後、蓋本体１０３から取り外すことができるので、内蓋１０４を蓋本体１０３から片手で容易に取り外すことができる。
【特許文献１】特開２００２−９５５８０号公報
【発明の開示】
【発明が解決しようとする課題】
【０００８】
しかしながら、特許文献１に示すような従来の炊飯器は、内蓋１０４の取り外し操作を容易にすることに主眼を置いて構成されたものであるため、内蓋１０４の取り付け操作においては以下のような問題点があった。
すなわち、従来の炊飯器において内蓋１０４を蓋本体１０３に取り付ける際には、まず、内蓋１０４の後端部１０４ａを蓋本体１０３の内蓋係止部１０５に係止させる。次いで、一方の手で蓋本体１０３を外方から支えながら、もう一方の手で内蓋１０４を蓋本体１０３側に押し、内蓋１０４を蓋本体１０３の内蓋装着位置まで回転移動させる。次いで、内蓋１０４の前端部１０４ｂに内蓋固定部１０６を係合させて内蓋１０４を蓋本体１０３に固定する。すなわち、従来の炊飯器の取り付け操作においては、片手で内蓋１０４を蓋本体１０３に固定することができず、手間のかかるものであった。
【０００９】
内蓋１０４の取り付け操作を容易にする方法としては、例えば、以下のような方法が考えられる。すなわち、蓋本体１０３が開状態において内蓋１０４を内蓋係止部１０５に傾斜位置で係止させたのち、蓋本体１０３を鍋１０２側に回転移動させて閉状態にする。このとき、蓋本体１０３を閉状態にする力を利用して蓋本体１０３に内蓋１０４が固定されるようにできれば、内蓋１０４の取り付け操作は容易になるものと考えられる。この場合、使用者は、内蓋１０４を内蓋係止部１０５に係止させたのち、蓋本体１０３を開状態から閉状態にするだけで、蓋本体１０３に内蓋１０４を固定することができる。このとき、使用者は両手を使う必要性がない。
【００１０】
しかしながら、前記のように構成しようとすると、内蓋１０４は後端部１０４ａが内蓋係止部１０５に係止されているだけであるため、蓋本体１０３と一緒に回転移動する途中で、その遠心力により内蓋１０４が内蓋係止部１０５から飛び出したり、内蓋１０４が蓋本体１０５の内蓋装着位置からずれ、内蓋１０４を正しくセットすることができない恐れがある。このように内蓋１０４が内蓋装着位置からずれて蓋本体１０５に装着された状態で炊飯が開始されると、内蓋１０５の内蓋パッキン１０８と鍋１０２とが密接できていないため、炊飯中に蒸気が内蓋パッキン１０８と鍋１０２との間から漏れ出し、鍋１０２内の空間の温度が低下して炊飯に失敗してしまう恐れがある。
【００１１】
従って、本発明は、前記課題を解決するものであって、内蓋を有する炊飯器において、容易に内蓋を蓋本体の内蓋装着位置に固定することができる炊飯器を提供することを目的とする。
【課題を解決するための手段】
【００１２】
前記目的を達成するために、本発明は以下のように構成する。
本発明の第１態様によれば、内部に鍋収納部が形成された有底筒状の炊飯器本体と、
前記鍋収納部に収納される鍋と、
前記鍋を加熱する鍋加熱装置と、
前記炊飯器本体の開口部の周囲の一部に配置されたヒンジ軸を中心に開状態と閉状態との間で回動して前記炊飯器本体の開口部を開閉可能な蓋本体と、
前記蓋本体の内蓋装着位置に着脱自在に固定されて、前記鍋の開口部を密閉可能な内蓋と、
前記蓋本体に配置され、前記蓋本体が開状態であるときに前記内蓋装着位置での固定が解除されて前記蓋本体から離れる側に倒れる前記内蓋を、前記内蓋装着位置と前記炊飯器本体の開口部で形成される開口面とに対して傾斜した位置で抜き差し可能に係止するとともに、前記内蓋を前記傾斜位置で係止した状態で前記蓋本体が開状態から閉状態に回転されるときに前記内蓋を前記内蓋装着位置に向けて案内する内蓋係止案内部と、
を備える炊飯器を提供する。
【００１３】
本発明の第２態様によれば、前記内蓋係止案内部は、
前記内蓋を前記傾斜位置で抜き差し可能に係止する内蓋係止部と、
前記内蓋を前記内蓋装着位置に向けて案内する内蓋案内部と、を備え、
前記内蓋案内部は、
前記蓋本体の開状態から閉状態への回転に伴い前記内蓋を前記傾斜位置から前記内蓋装着位置に向けて案内するときにおいて、
前記傾斜位置から前記内蓋装着位置に向かう前記内蓋の移動経路内に前記内蓋が位置するときは、前記内蓋を前記移動経路に沿って案内し、前記内蓋が前記移動経路から外れているときは、前記内蓋を前記移動経路内に戻すように案内することを特徴とする第１態様に記載の炊飯器を提供する。
【００１４】
本発明の第３態様によれば、前記内蓋案内部は、
前記内蓋の内面において、前記ヒンジ軸と平行な第１の方向、当該第１の方向に直交する第２の方向、及び当該第１及び第２の方向に直交する前記内蓋の厚み方向のまわりを回転する第３の方向における前記内蓋の移動を案内して、前記傾斜位置から前記内蓋装着位置に向かう前記内蓋の移動経路内に前記内蓋が位置するときは、前記内蓋を前記移動経路に沿って案内し、前記内蓋が前記移動経路から外れているときは、前記内蓋を前記移動経路内に戻すように案内することを特徴とする第２態様に記載の炊飯器を提供する。
【００１５】
本発明の第４態様によれば、前記内蓋案内部は、
前記第１及び第３の方向における前記内蓋の移動を案内する第１案内部と、
前記第２の方向における前記内蓋の移動を案内する第２案内部と、
を有することを特徴とする第３態様に記載の炊飯器を提供する。
【００１６】
本発明の第５態様によれば、前記内蓋案内部は、
前記内蓋装着位置に向かって収束するように形成されたテーパ部を備え、当該テーパ部の内面に沿って前記内蓋が移動されることで、前記内蓋を前記内蓋装着位置に案内することを特徴とする第２態様に記載の炊飯器を提供する。
【００１７】
本発明の第６態様によれば、前記内蓋案内部は、
前記内蓋装着位置に向かって収束するように傾斜した案内用突起を備え、当該案内用突起に沿って前記内蓋が移動されることで、前記内蓋を前記内蓋装着位置に案内することを特徴とする第２態様に記載の炊飯器を提供する。
【００１８】
本発明の第７態様によれば、前記内蓋は、縁部の一部に断面Ｕ字状の溝部を有し、
前記内蓋係止部は、
前記蓋本体の前記内蓋装着位置より前記ヒンジ軸側に配置されるとともに前記内蓋の前記溝部が抜き差し可能に形成された係止用突起部を備え、前記内蓋の厚み方向における前記溝部の対向する一対の壁面のそれぞれに前記係止用突起部が当接することで、前記内蓋を前記傾斜位置で係止することを特徴とする第２〜６態様のいずれか１つに記載の炊飯器を提供する。
【００１９】
本発明の第８態様によれば、前記内蓋係止部は、
前記蓋本体の前記内蓋装着位置より前記ヒンジ軸側に配置されるとともに前記内蓋の縁部の一部が抜き差し可能な断面Ｕ字状の係止用溝部を備え、前記内蓋の厚み方向における前記係止用溝部の対向する一対の壁面のそれぞれに前記内蓋の前記一部が当接することで、前記内蓋を前記傾斜位置で係止することを特徴とする第２〜６態様のいずれか１つに記載の炊飯器を提供する。
【００２０】
本発明の第９態様によれば、前記内蓋係止部は、
前記蓋本体の前記内蓋装着位置より前記ヒンジ軸側に配置されるとともに、前記内蓋の縁部の前記蓋本体から離れる側の面の一部に当接可能な複数の係止用突起を備え、前記複数の係止用突起と、前記複数の係止用突起に対向する蓋本体の面の一部とに前記内蓋の前記一部が当接することで、前記内蓋を前記傾斜位置で係止することを特徴とする第２〜６態様のいずれか１つに記載の炊飯器を提供する。
【００２１】
本発明の第１０態様によれば、さらに、前記蓋本体が閉状態であるときに、前記蓋本体を前記炊飯器本体に解除可能に固定する蓋本体固定部を有し、
前記蓋本体は、前記内蓋を前記内蓋装着位置で固定する、前記蓋本体固定部とは別の内蓋固定部を有する、
ことを特徴とする第１〜９態様のいずれか１つに記載の炊飯器を提供する。
【００２２】
本発明の第１１態様によれば、前記蓋本体は、前記内蓋を前記内蓋装着位置で固定するとともに、前記蓋本体が閉状態であるときに、前記蓋本体を前記炊飯器本体に解除可能に固定する蓋固定部を有することを特徴とする第１〜９態様のいずれか１つに記載の炊飯器を提供する。
【００２３】
本発明の第１変形態様によれば、鍋と、前記鍋を加熱する加熱手段と、前記鍋の開口部を覆う蓋本体と、前記蓋本体の内蓋装着位置に装着される内蓋と、前記内蓋に設けられ前記内蓋を前記内蓋装着位置に装着した蓋本体が閉状態であるとき前記鍋と密着する内蓋パッキンと、前記内蓋装着位置にある内蓋を前記蓋本体に固定する内蓋固定部と、前記内蓋の一部を係止し前記蓋本体に対して所定角度傾斜した位置で前記内蓋を係止する係止部と、前記内蓋が前記係止状態から前記係止部の近傍を回転軸として前記蓋本体側へ回転移動するとき前記内蓋の動きを規制して前記内蓋装着位置に案内する案内部とを備え、前記蓋本体が前記内蓋を係止状態で閉じるとき、前記係止部は、前記内蓋が前記鍋と当たるまでの間、前記内蓋を係止するようにした炊飯器を提供する。
【００２４】
本発明の第２変形態様によれば、前記案内部は、前記内蓋が前記内蓋装着位置にあるとき前記内蓋の側壁の一部と略当接する当接壁で形成され、前記内蓋は、係止状態から蓋本体側へ回転移動するとき前記内蓋の側壁の一部が前記案内部の当接壁と略当接しながら回転移動することにより前記内蓋装着位置に案内される第１変形態様に記載の炊飯器を提供する。
【００２５】
本発明の第３変形態様によれば、前記蓋本体は、閉じる際に前記内蓋に設けた誘導部と接触したとき前記内蓋を係止部方向へ押す内蓋位置調整部を有する第１又は第２変形態様に記載の炊飯器を提供する。
【発明の効果】
【００２６】
本発明の炊飯器によれば、内蓋を傾斜位置で抜き差し可能に係止するとともに、蓋本体が開状態から閉状態に回転されるときに蓋本体の回転に伴う内蓋の移動を規制して内蓋装着位置に案内する内蓋係止案内部を備えている。これにより、内蓋を傾斜位置で係止させた状態で蓋本体を閉めるだけの簡単な作業で、内蓋が蓋本体から外れて飛び出すことを抑えるとともに、内蓋が内蓋装着位置からずれることも抑えて、内蓋を確実に内蓋装着位置に固定することができる。したがって、確実に内蓋パッキンと鍋とを密接させることができるので、炊飯中に蒸気が鍋から漏れ出すことを低減して炊飯性能を向上させることができる。
【００２７】
また、前記第１変形態様によれば、内蓋を係止した状態で蓋本体を閉めると、内蓋は鍋に当たるまで係止部により係止されているため蓋本体から外れて飛び出すことはなく、また案内部により動きが規制されて蓋本体側へ回転移動し内蓋装着位置に案内されるため、容易に内蓋を蓋本体の内蓋装着位置に固定することができる。また、内蓋は内蓋装着位置に固定されるため、内蓋パッキンは鍋と密接することができ、炊飯中に蒸気が鍋から漏れ出すことを低減して炊飯性能を向上させることができる。
【００２８】
また、前記第２変形態様によれば、内蓋は、側壁の一部が案内部の当接壁に略当接した状態で回転移動するため、回転移動中にずれることなく確実に内蓋装着位置に案内される。これにより、内蓋に設けた内蓋パッキンが鍋と密接して炊飯中に蒸気が鍋から漏れ出すことを低減するので、炊飯性能が向上する。
【００２９】
また、前記第３変形態様によれば、蓋が閉まる直前に、内蓋の係止部により係止されていない部分が自重で先に下方に移動し、内蓋が係止部から外れて前方へ飛び出したりする場合があるが、係止部から外れたとしても蓋本体の内蓋位置調整部が内蓋の誘導部と接触し、内蓋を係止部方向へ押すため、内蓋が係止部側に戻り確実に内蓋を内蓋装着位置に装着することができる。
【発明を実施するための最良の形態】
【００３０】
本発明の記述を続ける前に、添付図面において同じ部品については同じ参照符号を付している。
以下、本発明の最良の実施形態について、図面を参照しながら説明する。なお、この実施形態によって本発明が限定されるものではない。
【００３１】
《第１実施形態》
図１〜図５を用いて、本発明の第１実施形態にかかる炊飯器の構成について説明する。図１は、本発明の第１実施形態にかかる炊飯器において、内蓋が傾斜位置で係止されているときの状態を示す断面図である。図２は、本発明の第１実施形態にかかる炊飯器において、蓋本体が閉状態であるときの断面図である。図３は、本発明の第１実施形態にかかる炊飯器において、内蓋装着位置に内蓋が固定された状態で蓋本体が開状態であるときの断面図である。図４は図１の一部拡大断面図である。図５は、本発明の第１実施形態にかかる炊飯器の蓋本体において、内蓋を内蓋装着位置に固定した状態を示す平面図である。
【００３２】
図１〜図３において、本発明の第１実施形態にかかる炊飯器は、内部に鍋収納部１ａが形成された略有底筒状の炊飯器本体１と、鍋収納部１ａに収納される鍋２と、炊飯器本体１の開口部を開閉可能に炊飯器本体１に取り付けられる蓋本体３と、蓋本体３の内側（鍋２の開口部を覆う側）に着脱自在に取り付けられて、鍋２の開口部を密閉可能な略円盤状の内蓋４と、鍋２を誘導加熱する鍋加熱装置（加熱手段）５とを有している。
【００３３】
炊飯器本体１の鍋収納部１ａは、炊飯器本体１の上部開口の内周部に嵌合された略環状の上枠１ｂと、鍋２の形状に対応して有底円筒形状に形成され、上部開口側端部で上枠１ｂに一体的に接続されたコイルベース１ｃとで構成されている。
コイルベース１ｃの外周面には、鍋加熱装置５を構成する底内コイル５ａと底外コイル５ｂと側部コイル５ｃとが取り付けられている。底内コイル５ａは、コイルベース１ｃを介して鍋２の底部の中央部周囲に対向するように配置されており、底外コイル５ｂは、コイルベース１ｃを介して鍋２の底部のコーナー部に対向するように配置されている。側部コイル５ｃは、上枠１ｂを介して鍋２の外周側部に対向するように配置されている。
コイルベース１ｃの底部の中央部分には開口が設けられており、当該開口部分には、鍋２の温度を測定するための鍋温度検知装置（温度検知手段）の一例である鍋温度センサー６が鍋２の底部に当接可能に配置されている。
【００３４】
炊飯器本体１内には、各部及び各装置を駆動制御して炊飯動作を行う制御装置（制御手段）７が設置されている。制御装置７は、例えば蓋本体３に設けられた操作パネル（図示せず）を使用して行った使用者の指示に応じて、各部及び各装置の駆動制御を行う。
炊飯器本体１の前壁上部（図１の左側上部）には、後述する蓋本体３のフック１４に係合可能なフック１ｄが設けられている。フック１ｄとコイルベース１ｃとの間にはバネ１ｅが設けられている。フック１ｄは、バネ１ｅにより前方（図１の左側）に付勢されている。
【００３５】
蓋本体３には、蒸気筒８と、蓋温度検知装置の一例である内蓋温度センサー９と、内蓋加熱装置（内蓋加熱手段）１０と、ヒンジ軸Ｄとが設けられている。
蒸気筒８は、蓋本体３の中央部を蓋本体３の厚み方向に貫通するように設けられている。蒸気筒８には、鍋２内の余分な蒸気を炊飯器本体１外へと排出できるように、蒸気逃がし孔８ｂが設けられている。蒸気筒８の内蓋４側の端部には、環状の蒸気筒用パッキン８ａが取り付けられている。蒸気筒用パッキン８ａは、ゴム等の弾性体で構成されている。
内蓋温度センサー９は、内蓋４に当接可能に設けられ、内蓋４の温度を検知可能に構成されている。
内蓋加熱装置の一例である内蓋加熱コイル１０は、蓋本体３内に設置され、制御装置７の制御により内蓋４を誘導加熱するよう構成されている。ヒンジ軸Ｄは、蓋本体３の開閉軸であり、炊飯器本体１の上枠１ｃに両端部を回動自在に固定されている。
内蓋４の一部は、誘導加熱が可能なステンレスなどの金属で構成されている。内蓋４の外周部の鍋２側の面には、蓋本体３が閉状態にあるとき、鍋２と密接する略環状の内蓋パッキン１１が取り付けられている。内蓋パッキン１１は、ゴムなどの弾性体で構成されている。
【００３６】
また、蓋本体３には、図２及び図３に示すように、内蓋４の前端部（ヒンジ軸Ｄから離れる側の端部、以下、被固定部という）４ｂに係合して内蓋４を蓋本体３に固定可能な内蓋固定部（内蓋固定手段）１３と、炊飯器本体１に設けられたフック１ｄと係合して、蓋本体３を炊飯器本体１に固定可能な蓋本体固定部の一例であるフック１４とが設けられている。フック１ｄ及びフック１４の互いに対向する端部には、ヒンジ軸Ｄに向かうに従い内蓋装着位置４Ａに近づくように、傾斜面１ｆ、１４ａが形成されている。蓋本体３が閉められるとき、フック１ｄ及びフック１４は互いの傾斜面１ｆ、１４ａに沿って移動することで確実に係合する。なお、傾斜面１ｆ、１４ａは曲面形状であってもよい。
【００３７】
内蓋固定部１３は、内蓋４の被固定部４ｂと係合可能に蓋本体３に取り付けられたフック１３ｂと、フック１３ｂをヒンジ軸Ｄ側に付勢するように蓋本体３に取り付けられたバネ１３ａとで構成されている。
フック１３ｂは、別途設けられた解除装置（図示しない）が操作されることにより、前後方向（図２の左右方向）にスライド移動可能に構成されている。フック１３ｂは、後方（ヒンジ軸Ｄ側）へスライド移動することにより、内蓋４の被固定部４ｂに係合して内蓋４を内蓋装着位置４Ａに固定することができる。また、フック１３ｂは、前方へスライド移動することにより、内蓋４の被固定部４ｂとの係合を解除することができる。
【００３８】
また、蓋本体３には、蓋本体３が図２に示すように閉状態にあるときに、内蓋４と鍋２とが所定の距離となるように内蓋４の上下方向（厚み方向）位置を規制するリブ３ａ，３ａが、内蓋４の後端部（以下、被係止部という）４ａ及び被固定部４ｂと当接可能に設けられている。
【００３９】
図２に示すように、内蓋４が内蓋装着位置４Ａに装着された状態で蓋本体３が閉じている場合には、内蓋４の内蓋パッキン１１と鍋２とは正しく密接するようになっている。一方、内蓋４が内蓋装着位置４Ａからずれて装着された状態で蓋本体３が閉じている場合には、内蓋パッキン１１と鍋２とは正しく密接できず、鍋２内の蒸気が両者の間から漏れる。この場合、鍋２内の温度が下がり、適切な炊飯ができない。
【００４０】
また、蓋本体３には、図１に示すように、炊飯器本体１の開口部に対して略９０度の角度で蓋本体３が開放された状態において、内蓋４を蓋本体３の内蓋装着位置４Ａ及び炊飯器本体１の開口部で形成される開口面に対して傾斜させた位置で係止（当て止め）する内蓋係止部（係止手段）１２が設けられている。内蓋装着位置４Ａに対する内蓋４の傾斜角度Ａは、例えば４５度程度になるように設定される。
【００４１】
図４に示すように、内蓋係止部１２は、蓋本体３を後方（ヒンジ軸Ｄ側）へ凹ませた断面Ｕ字状の溝部（凹部）１２ａと、溝部１２ａの蓋本体３側の側壁面で且つ溝部１２ａの開口部の近傍に設けた係止用突起部（蓋係止部）１２ｂとで構成されている。溝部１２ａは、図３に示すように、溝部１２ａと内蓋固定部１３とを通る平面が内蓋４の重心Ｆよりも後方（図３の右側）にずれるように配置されている。なお、図５では、溝部１２ａが、左右２箇所に分かれた溝で構成されるものを一例として示しているが、溝部１２ａは１つの溝で構成されても２以上の溝で構成されてもよい。係止用突起部１２ｂは、内蓋装着位置４Ａに対して角度Ａだけ傾斜する傾斜面１２ｄを有している。
【００４２】
蓋本体３が開状態にあるときに、内蓋４の被係止部４ａは、使用者により図１のＹ方向から溝部１２ａに挿入される。この状態で、使用者が内蓋４から手を離すと、内蓋４は、重心Ｆが溝部１２ａよりも前方に位置するために自重により鍋２側、すなわちＸ方向へ倒れる。これにより、内蓋４の被係止部４ａが溝部１２ａの角部１２ｃに当接する。さらに、内蓋４は、当該当接部を回転軸ＢとしてＸ方向に回転して、内蓋４の被係止部４ａの角部１２ｃ及び係止用突起部１２ｂよりも溝部１２ａの奥側に挿入された部分が、図４に示すように係止用突起部１２ｂの傾斜面１２ｄに当接する。これにより、内蓋４は、図４に示すように係止されて、それ以上倒れなくなり、傾斜した位置で自立する。
【００４３】
また、蓋本体３には、蓋本体３の開状態から閉状態への回転に伴い内蓋４を傾斜位置から内蓋装着位置４Ａに向けて案内する内蓋案内部（案内部）１６が設けられている。内蓋装着位置４Ａに向けて内蓋４を案内するときにおいて、内蓋案内部１６は、傾斜位置から内蓋装着位置４Ａに向かう内蓋４の移動経路内に内蓋４が位置するときには、内蓋４を当該移動経路に沿って案内する。一方、例えば、蓋本体３の開閉による遠心力などにより、内蓋４が前記移動経路から外れたときには、内蓋案内部１６は、内蓋４を前記移動経路内に戻すように案内する。具体的には、内蓋案内部１６は、内蓋４の内面において、ヒンジ軸Ｄと平行な第１の方向の一例である回転軸Ｂ方向（図５参照）と、回転軸Ｂ方向に直交する第２の方向の一例である左右中心軸Ｃ方向（図５参照）と、内蓋４の厚み方向まわりの第３の方向の一例である回転方向Ｅ（図５参照）の３方向における内蓋４の移動を案内する。
【００４４】
内蓋案内部１６は、図５に示すように、内蓋装着位置４Ａに固定された内蓋４の外周面の一部と当接する案内用突起の一例である複数の案内リブ１６ａと、第１案内部の一例である内蓋係止側案内壁１６ｂと、第２案内部の一例である内蓋固定側案内壁１６ｃとで構成されている。複数（ここでは一例として４つ）の案内リブ１６ａは、図５に示すように、左右中心軸Ｃに対して左右対称に蓋本体３に取り付けられている。内蓋係止側案内壁１６ｂは、回転軸Ｂ方向に対向する内蓋４の被係止部４ａの一対の側壁と当接可能に形成されている。内蓋係止側案内壁１６ｂは、内蓋４の回転軸方向Ｂ及び回転方向Ｅの移動を案内する。内蓋固定側案内壁１６ｃは、左右中心軸Ｃ上に配置された内蓋４の被固定部４ｂにおいて、回転軸Ｂ方向に対向する一対の側壁と当接可能に形成されている。内蓋固定側案内壁１６ｃは、内蓋４の左右中心軸Ｃ方向の移動を案内する。複数の案内リブ１６ａ、内蓋係止側案内壁１６ｂ、内蓋固定側案内壁１６ｃのそれぞれは、内蓋装着位置４Ａに向かって収束するように傾斜している。内蓋案内部１６は、複数の案内リブ１６ａ、内蓋係止側案内壁１６ｂ、内蓋固定側案内壁１６ｃのそれぞれに沿って内蓋４が移動されることで、内蓋４を内蓋装着位置４Ａに案内する。
【００４５】
また、内蓋４には、図５に示すように左右中心軸Ｃに対して左右対称に二つの把手部４ｄ，４ｄが設けられている。図１に示すように内蓋４が前記傾斜位置で係止されているとき、どちらか一方の把手部４ｄを引っ張ることで、使用者は容易に内蓋４を取り外すことができる。
【００４６】
次に、以上のように構成された炊飯器について、その動作、作用について以下に説明する。
【００４７】
まず、使用者により鍋２内に米と水がセットされたのち、例えば蓋本体３の操作パネル（図示せず）に配置された炊飯開始ボタン（図示せず）が押圧されることで、炊飯工程が開始される。
炊飯工程は、水を一定温度に保って米に水を吸収させる浸水工程と、鍋２を鍋加熱装置５により一気に加熱し、鍋２内の水を沸騰状態にする炊き上げ工程と、鍋２内の水がほとんどなくなった状態で加熱を抑える蒸らし工程の主として３つの工程からなる。鍋温度センサー６及び内蓋温度センサー９の検知温度と、あらかじめ決められた炊飯シーケンスとに従って、制御装置７が鍋加熱装置５及び内蓋加熱装置１０を制御することにより、各工程が行われる。ここで「炊飯シーケンス」とは、前記炊飯工程の各工程が順に行われるにあたって、各工程において通電時間、加熱温度、加熱時間、加熱出力等が予め決められている炊飯の手順をいう。本実施形態においては、炊飯シーケンスとして、米の種類などによって複数の炊飯コースが準備されている。
【００４８】
浸水工程では、制御装置７は、鍋２の温度が米の糊化が始まらない温度（約６０℃未満）となるように制御する。これにより、米の吸水が促進される。
【００４９】
炊き上げ工程では、制御装置７は、鍋２を急速に加熟して、鍋２内の水を沸騰状態にするように制御する。これにより、米の糊化が促進される。
この炊き上げ工程においては、連続的に水が沸騰して、蒸気が大量に発生する。このとき、内蓋４が内蓋装着位置４Ａに固定されて内蓋パッキン１１と鍋２とが密接していると、蒸気は蒸気筒８を通じて、炊飯器外へと放出される。一方、内蓋４が内蓋装着位置４Ａから位置ずれして内蓋パッキン１１と鍋２との接し方にばらつきが生じていると、密接度合の強い部分と弱い部分とが生じることとなる。このような場合、蒸気筒８を長期間、お手入れせずに使用すると、おねばが蒸気逃がし孔８ｂの開口面積を低減してしまう場合があり、内蓋パッキン１１と鍋２との密接度合の弱い部分から蒸気が漏れだす恐れがある。
【００５０】
蒸らし工程では、制御装置７は、鍋２の温度が一定温度以下に下がる毎に、鍋２を加熱するよう制御する。これにより、鍋２内が高温状態（例えば約１００℃）で維持され、米に付着した余分な水分が蒸散して、米の糊化がさらに促進される。
【００５１】
前記蒸らし工程が終了すると、すなわち全ての炊飯工程が終了すると、自動的に保温工程に移行する。すなわち、制御装置７は、炊き上がったご飯の温度が低下しないように制御する。これにより、使用者はいつでも温かいご飯を得ることができる。
【００５２】
次に、図１〜図５を参照しつつ、本第１実施形態の炊飯器を用いて炊飯した後に内蓋４をお手入れする際の使用者の手順について説明する。
まず、内蓋４を内蓋装着位置４Ａから取り外すときの手順について説明する。
【００５３】
使用者は蓋本体３を閉状態（図２参照）から開状態（図３参照）にする。
次いで、使用者は前記解除装置（図示しない）を操作して内蓋固定部１３による内蓋４の固定を解除する。これにより、内蓋４の重心Ｆが内蓋係止部１２の溝部１２ａより前方（鍋２側）に位置するために、内蓋４が回転軸Ｂを中心にＸ方向へ回転移動する。当該回転移動により内蓋４が内蓋装着位置４Ａに対して予め決められた角度Ａまで傾斜すると、内蓋４は、被係止部４ａが内蓋係止部１２の角部１２ｃ及び傾斜面１２ｄに当接（図４参照）して傾斜位置で係止される（図１参照）。
この後、使用者は、傾斜位置で係止された内蓋４の把手部４ｄ，４ｄのどちらか一方を持ってＹ方向と逆方向に引く（抜く）ことで、内蓋４を蓋本体３から取り外すことができる。
【００５４】
次に、使用者がお手入れした後あるいは炊飯する前などに、内蓋４を内蓋装着位置４Ａに取り付けるときの手順について説明する。
使用者は内蓋４をＹ方向から内蓋係止部１２の溝部１２ａに差し込む。このとき、使用者が内蓋４を溝部１２ａに差し込む角度は、角度Ａの範囲内とする。すなわち、角度Ａが例えば４５度であるとすると、前記差し込み角度は内蓋装着位置４Ａに対して０度から４５度の範囲内とする。
【００５５】
次いで、使用者は内蓋４から手を放す。これにより、内蓋４の重心Ｆが内蓋係止部１２の溝部１２ａより前方（鍋２側）に位置するために、内蓋４は自重でＸ方向に回転し、被係止部４ａが角部１２ｃ及び傾斜面１２ｄに当接（図４参照）して傾斜位置で係止される。また、このとき、内蓋係止側案内壁１６ｂに被係止部４ａの回転軸Ｂ方向に対向する一対の側壁が接触する。
【００５６】
次いで、使用者は、内蓋４が傾斜位置で係止された状態（図１参照）で蓋本体３を閉める。このとき、内蓋４は、内蓋係止部１２に係止されるとともに内蓋装着位置４Ａに対して角度Ａ傾斜した位置を保ったまま、鍋２側へ回転移動する。このとき、内蓋係止側案内壁１６ｂと被係止部４ａの回転軸Ｂ方向に対向する一対の側壁とが接触することにより、内蓋４の回転軸Ｂ方向及び回転方向Ｅの案内が開始される。また、この回転移動により、まず、蓋本体３が閉まるよりも先に内蓋４が鍋２に当たり、内蓋４の回転が止まる。この状態でさらに蓋本体３がＸ方向に回転移動すると、蓋本体３が内蓋４に近づくので、見かけ上、内蓋４が回転軸Ｂを軸として蓋本体３に近づく方向（Ｘ方向と逆方向）に回転移動する。
【００５７】
図６Ａ〜図６Ｃは、内蓋係止側案内壁１６ｂが内蓋４の被係止部４ａを案内する過程を示している。内蓋係止側案内壁１６ｂは、内蓋装着位置４Ａに向かって収束するように形成されたテーパ部２１６ｂを備えている。なお、被係止部４ａには、図６Ａ〜図６Ｃに示すように内蓋係止側案内壁１６ｂのテーパ部２１６ｂの内面に沿って確実に移動されるように傾斜面（又は曲面）２０４ａが形成されることが好ましい。
内蓋４は、図６Ａ〜図６Ｃに示すように、内蓋係止側案内壁１６ｂにより回転軸Ｂ方向及び回転方向Ｅの移動を案内される。この途中で、内蓋４は、内蓋４の側方の案内リブ１６ａ，１６ａと当接したのち、内蓋固定側案内壁１６ｃに当接する。
図７Ａ〜図７Ｃは、内蓋固定側案内壁１６ｃが内蓋４の被固定部４ｂを案内する過程を示している。内蓋固定側案内壁１６ｃは、内蓋装着位置４Ａに向かって収束するように形成されたテーパ部２１６ｃを備えている。なお、被固定部４ｂには、図７Ａ〜７Ｃに示すように内蓋固定側案内壁１６ｃのテーパ部２１６ｃの内面に沿って確実に移動されるように曲面（又は傾斜面）２０４ｂが形成されることが好ましい。
内蓋４は、図７Ａ〜図７Ｃに示すように、内蓋係止側案内壁１６ｂにより回転軸Ｂ方向及び回転方向Ｅの移動を案内されるとともに、図示していないが左右中心軸Ｃ（図５参照）の移動を案内される。
【００５８】
なお、図７Ａ〜図７Ｃでは、内蓋係止側案内壁１６ｂとともに内蓋固定側案内壁１６ｃも回転軸Ｂ方向及び回転方向Ｅの移動を案内するように示したが、内蓋係止側案内壁１６ｂのみで内蓋４の回転軸Ｂ方向及び回転方向Ｅの移動を案内するようにしてもよい。また、内蓋係止側案内壁１６ｂより内蓋４の前記移動経路内に大まかに案内したのち、内蓋固定側案内壁１６ｃにより内蓋装着位置４Ａに内蓋４が移動するように案内（調整）してもよい。内蓋固定側案内壁１６ｃは左右中心軸Ｃ方向（図５参照）の移動を案内できればよい。
【００５９】
以上のようにして、内蓋４がＸ方向と逆方向に回転移動するにつれて、内蓋４は、図６Ａ〜図６Ｃ、及び図７Ａ〜図７Ｃに示すように内蓋係止側案内壁１６ｂ及び内蓋固定側案内壁１６ｃ、さらに複数の案内リブ１６ａに沿って内蓋装着位置４Ａへと案内される。これにより、内蓋４は、回転軸Ｂ方向、回転方向Ｅ、及び左右中心軸Ｃ方向の動きが案内され、当該３方向のずれが生じることなく内蓋装着位置４Ａに案内される。なお、このとき、内蓋４の被係止部４ａと、係止用突起部１２ｂ及び被係止部４ａとの係止状態も外れる。蓋本体３が完全に閉じられると、内蓋４は、鍋２と蓋本体３とに挟まれて、被固定部４ｂが内蓋固定部１３のフック１３ｂに係合して蓋本体３に固定される。一方、蓋本体３は、フック１４が炊飯器本体１のフック１ｄに係合して炊飯器本体１に固定される。
【００６０】
このように、内蓋装着位置４Ａから回転軸Ｂ方向、回転方向Ｅ、及び左右中心軸Ｃ方向にほとんどずれることなく内蓋４が蓋本体３に装着されるので、内蓋パッキン１１が完全に鍋２と密接することができる。したがって、炊飯中に蒸気が鍋２から漏れ出すことは低減される。また、蓋本体３に設けたリブ３ａにより内蓋４と鍋２との距離も所定の距離に規制されるので、さらに内蓋パッキン１１と鍋２とを密接させることが可能となる。
【００６１】
以上のように、本第１実施形態においては、内蓋４が傾斜位置で係止された状態で蓋本体３が閉められると、内蓋４が鍋２に当たるまでの間は係止部１２により内蓋が傾斜位置で係止される。このため、内蓋４は蓋本体３から外れずに回転移動することができる。また、内蓋４は、Ｘ方向に回転移動するとき、内蓋案内部１６により動きが規制されて内蓋装着位置４Ａに案内される。このため、内蓋４を確実に蓋本体３の内蓋装着位置４Ａに固定することができる。これにより、内蓋パッキン１１と鍋２とを密接させることができるので、炊飯中に蒸気が鍋２から漏れ出すことを低減して炊飯性能を向上させることができる。
【００６２】
なお、本発明は前記実施形態に限定されるものではなく、その他種々の態様で実施できる。例えば、本第１実施形態においては、蓋本体３が開状態であるときの炊飯器本体１と蓋本体３との角度Ａは、例えば４５度であるものとしたが、内蓋４を取り出すことができる角度（０度より大きく９０度より小さい角度）であればよい。なお、角度Ａが大きすぎると、内蓋４が内蓋装着位置４Ａに固定された状態から傾斜位置で係止されるまで回転移動される際に、内蓋係止部１２と内蓋４の被係止部４ａとが衝突（当接）する衝撃が大きくなりすぎる。一方、角度Ａが小さすぎると、傾斜位置で係止される内蓋４の抜き出し及び差し込みの操作性が悪化する。このため、角度Ａは、内蓋４の抜き出し及び差し込みを容易に行うことができる角度（例えば３０度）に設定するとなおよい。
【００６３】
なお、本第１実施形態においては、図５に示すように、内蓋固定部１３のフック１３ｂを左右中心軸Ｃ上に１つ配置したが、本発明はこれに限定されない。例えば、図８に示すように、左右中心軸Ｃに対して左右対称に２箇所（又はそれ以上）にフック１３ｂ−１を設けてもよい。このように構成することにより、１箇所のフック１３ｂで内蓋４を固定する構成（図５参照）に比べて、よりしっかりと内蓋装着位置４Ａに内蓋４を固定することができる。また、前記構成によれば、従来例のように使用者が一方の手で蓋本体３を支えながら他の手で内蓋４を押圧して内蓋装着位置４Ａに固定するときに操作性が向上する。すなわち、例えば、内蓋４の図５の右側又は左側の縁部（案内リブ１６ａの近傍部分）を押圧して内蓋４を内蓋装着位置４Ａに固定する場合、当該押圧部分とフック１３ｂ−１までの距離を短くすることができ、より小さい力で容易に固定することができる。また、このとき、左右２箇所に設けたフック１３ｂ−１，１３ｂ−１は、互いに連動するように構成されてもよいし、連動しないように構成されてもよい。互いに連動する場合には、一方のフック１３ｂ−１を内蓋４の被固定部４ｂに係合させるだけで、自動的に他方のフック１３ｂ−１も内蓋４の被固定部４ｂに係合することになる。互いに連動しない場合でも、一方のフック１３ｂ−１を内蓋４の被固定部４ｂに係合させて仮固定すれば、蓋本体３を閉めたときに、他方のフック１３ｂ−１も係合することになる。
【００６４】
なお、本第１実施形態においては、図５に示すように２箇所に把手部４ｄ，４ｄを設けたが、図８に示すように把手部４ｄ，４ｄは無くてもよい。
【００６５】
なお、本第１実施形態においては、内蓋４を傾斜位置で係止する手段として、内蓋係止部１２が溝部１２ａを有するように構成したが、本発明はこれに限定されない。内蓋係止部１２は、内蓋４を一定角度Ａに係止できるように構成されていればよい。例えば、内蓋４の被係止部４ａが溝形状の部分を備えるとともに内蓋係止部１２が前記溝形状の部分に抜き差し可能な突起形状の部分を備えるように構成されてもよい。また、内蓋係止部１２が穴形状やフック形状など他の形状で形成されてもよい。
【００６６】
すなわち、図９に示すように、内蓋４の被係止部４ａ−１が断面Ｕ字状の溝部を有し、前記溝部に抜き差し可能に形成された係止用突起部１２ｅを内蓋係止部１２が有するように構成されてもよい。この場合、図９に示すように、内蓋４の厚み方向において前記溝部の対向する一対の壁面４ａ−２，４ａ−３のそれぞれに係止用突起部１２ｅが当接することで、内蓋４は傾斜位置で係止される。溝部を内蓋４側に設けることにより、蓋本体３側に設けるよりも溝部の掃除を容易にすることができる。また、図１０に示すように、内蓋４の被係止部４ａの一部に当接可能な係止突起１２ｆ，１２ｆを内蓋係止部１２が有するように構成されてもよい。この場合、内蓋係止部１２の掃除を容易にすることができる。
【００６７】
なお、本第１実施形態においては、内蓋係止部１２を蓋本体３と一体的に設けたが、内蓋係止部１２を蓋本体３とは別の部品で構成してもよい。
【００６８】
なお、内蓋係止部１２を構成する各部品は、樹脂で構成されても、金属など他の材質で構成されてもよいが、内蓋４の被係止部４ａと衝突したときに衝撃を吸収できるように、バネ性（弾性）を有していることが好ましい。
【００６９】
なお、本第１実施形態においては、内蓋係止部１２を蓋本体３の後方（内蓋装着位置４Ａよりもヒンジ軸Ｄ側）に配置したが、本発明はこの位置に限定されない。内蓋係止部１２は、例えば、前方（内蓋装着位置４Ａよりも内蓋固定部１３側）や側方に配置されてもよい。
【００７０】
なお、本第１実施形態においては、内蓋案内部１６を３つの案内部１６ａ、１６ｂ、１６ｃ、すなわち、複数の案内リブ１６ａ、内蓋係止側案内壁１６ｂ、及び内蓋固定側案内壁１６ｃで構成したが、本発明は必ずしも３つの案内部１６ａ、１６ｂ、１６ｃを必要としない。内蓋４を蓋本体３の内蓋装着位置４Ａに案内できれば、案内部の数は少なくても多くてもよい。例えば、本第１実施形態においては、内蓋係止側案内壁１６ｂと内蓋固定側案内壁１６ｃとにより、内蓋４の回転軸Ｂ方向、回転方向Ｅ、及び左右中心軸Ｃ方向の移動を案内できるので、複数の案内リブ１６ａは無くてもよい。また、案内部の設置場所も他の場所でもよい。この場合、内蓋４の外周部近傍で且つ、案内中において内蓋４の姿勢が保てるように、内蓋４の中心に対して互いに適当な間隔を空けて少なくとも３箇所で内蓋４に当接できるように案内部が配置されればよい。また、本第１実施形態においては、内蓋案内部１６の案内部１６ａ、１６ｂ、１６ｃを全て蓋本体３に設けたが、本発明はこれに限定されない。例えば、内蓋案内部１６の案内部１６ａ、１６ｂ、１６ｃのいずれか又は全部を内蓋４に設けてもよい。
【００７１】
なお、本第１実施形態においては、内蓋係止部１２の一部（角部１２ｃ）が内蓋４の回転軸Ｂとして機能するものとしたが、内蓋４の被係止部４ａの一部が内蓋４の回転軸Ｂとして機能するものとしてもよい。内蓋４の回転軸Ｂは両者の近傍に位置していればよい。
【００７２】
なお、本第１実施形態においては、内蓋４の重心Ｆを回転軸Ｂより前方に位置させることにより、内蓋固定部１３による内蓋４の固定を解除したときに内蓋４の自重で鍋２側へ倒れるように構成したが、本発明はこの構成に限定されない。例えば、内蓋２が蓋本体３の内蓋装着位置４Ａに固定された状態であるとき、常に蒸気筒パッキン８ａで内向き（鍋２側）に付勢されるように構成してもよい。この場合、内蓋４の固定が解除されると、蒸気筒パッキン８ａの弾性力（付勢力）により、内蓋４は鍋２側へ倒れる。
【００７３】
なお、本第１実施形態においては、内蓋係止部１２が角部１２ｃ及び傾斜面１２ｄを備えて、両者に内蓋４の被係止部４ａが当接（図４参照）することで、内蓋４が傾斜位置で係止されるものとしたが、本発明はこれに限定されない。例えば、内蓋係止部１２が傾斜面１２ｄに代えて、図１１Ａ及び図１１Ｂに示すようにフック１２ｇを備えるとともに、被係止部４ａ−４がフック１２ｇに係合するフックを有するように構成して、両者が係合することで内蓋４が傾斜位置で係止されるように構成してもよい。また、溝部１２ａの深さを、蓋本体３を閉める際に内蓋４が鍋２に当たるまでは溝部１２ａから抜けないような深さ（例えば１ｃｍ）にしてもよい。
【００７４】
なお、本第１実施形態の炊飯器を示す各図面（例えば図１）においては、内蓋４を底の浅い鍋形状に形成し、内蓋４の厚み方向において蓋本体３側に被係止部４ａが配置されるように構成しているが、本発明はこれに限定されない。例えば、内蓋４の厚み方向において鍋２側又は蓋本体３と鍋２との中間位置に被係止部４ａが配置されてもよい。この場合、内蓋係止部１２は、被係止部４ａの配置に合わせて設ければよく、蓋本体３を閉じるときの遠心力で内蓋４が外側に飛び出しにくいような構成であればよい。
【００７５】
なお、内蓋係止部１２は、内蓋固定部１３による内蓋４の固定が解除されて図１に示すようにＸ方向に回転移動するときに生じる衝撃に十分耐えられる強度に構成する。内蓋係止部１２が破損する恐れをなくすことで、使用者に安心感を与え、信頼性の高い炊飯器を提供することができる。
【００７６】
なお、本第１実施形態においては、内蓋固定部１３のフック１３ｂを図示しない解除装置を操作して前方にスライド移動させることで、内蓋４の固定を解除、すなわち図３の状態から図１の状態にできるものとしたが、本発明はこれに限定されない。例えば、図１２に示すように、解除装置を解除ボタン１５で構成し、解除ボタン１５が押圧されることで、内蓋４の外周部の一部から外方に突出する突出部４ｃとの係合が外れて、内蓋４の固定を解除できるように構成してもよい。このとき、解除ボタン１５は、蓋本体３が開状態から閉状態になるときに内蓋４が回転移動する軌跡内から、離れた位置に設ける。このように構成することにより、使用者は内蓋４を取り外す際、片手で解除ボタン１５を押圧するだけで、内蓋４の固定を解除して、内蓋４が使用者の手に当たることなく、内蓋４を傾斜位置で係止することができる。傾斜位置で係止される内蓋４は、片手でも簡単に抜き取ることができる。したがって、本第１実施形態によれば、片手でも簡単に扱える使い勝手のよい炊飯器を提供することができる。
【００７７】
なお、図１２では、解除装置を解除ボタン１５で構成した例を図示したが、解除装置は、回転レバー、スライドレバーなどその他の構成であってもよい。解除装置は、使用者が内蓋４の固定を解除して係止状態にする際に、内蓋４の回転移動の軌跡内に手を配置することなく解除操作ができる構成であればよい。
【００７８】
なお、内蓋案内部１６の案内リブ１６ａは、図１２の左右に示すように、幅が太く形成されてもよい。また、図１２に示すように、案内リブ１６ａに沿うように内蓋４の外周部の一部に外方に突出する内蓋誘導部４ｄを設けて、より確実に内蓋装着位置４ｄに内蓋４が案内されるように構成してもよい。
【００７９】
なお、本第１実施形態において、内蓋固定部１３は、図１に示すようにバネ１３ａとフック１３ｂとにより構成したが、本発明はこれに限定されない。
例えば、図１３に示すように、内蓋固定部１３を回動フック１３ｃで構成してもよい。この構成によれば、部品の大きさを小さくすることができるとともに、熱の影響による変形も抑えることができる。
【００８０】
なお、本第１実施形態においては、図２に示すようにフック１４がフック１ｄに係合することにより、蓋本体３と炊飯器本体１とが固定されるようにしたが、本発明はこれに限定されない。例えば、内蓋固定部１３のフック１３ｂを変形して、フック１３ｂとフック１４の両方の機能を有する蓋固定部の一例であるフック１３ｄを備えるように構成してもよい。すなわち、図１４Ｂに示すように、フック１３ｄは、第１フック部１３ｄ−１と、第２フック部１３ｄ−２とで構成されてもよい。第１フック部１３ｄ−１は、図１４Ｃに示すように内蓋４の被固定部４ｂと係合して、内蓋装着位置４Ａに内蓋４を固定可能に構成されている。第２フック部１３ｄ−２は、内蓋装着位置４Ａに内蓋４が固定されたとき、第１フック部１３ｄ−１と連動して前方に（図１４Ｂに示す位置から図１４Ｃに示す位置へ）移動して、炊飯器本体１のフック１ｄと係合可能な位置に位置するように構成されている。すなわち、内蓋４が内蓋装着位置４Ａに固定されていない状態（図１４Ｂ参照）で、蓋本体３が閉状態にされると、第１フック１３ｄ−２とフック１ｄとは係合できないので、蓋本体３が閉まらない。一方、内蓋４が内蓋装着位置４Ａに固定された状態（図１４Ｃ参照）で、蓋本体３が閉状態にされると、第１フック１３ｄ−２とフック１ｄとが係合して、蓋本体３が閉まる。これにより、内蓋４が確実に内蓋装着位置４Ａに固定されている場合のみに炊飯することができるので、内蓋パッキン１１と鍋２との間から蒸気が漏れ出て炊飯が失敗してしまうことを防ぐことができる。また、内蓋４が確実に取り付けられているかを使用者が容易に知ることができるので、炊飯器の使い勝手をよくすることができる。
なお、内蓋固定部１３の構成は前記構成に限定されるものではなく、内蓋４が固定されていないと蓋本体３を閉じることができない構成となっていればよい。
【００８１】
《第２実施形態》
図１５は、本発明の第２実施形態における炊飯器の構成を示す断面図である。本発明の第２実施形態における炊飯器は、さらに被固定部案内壁１６ｄを備える点で第１実施形態における炊飯器と異なる。その他の構成は第１実施形態の炊飯器と同様であるため、重複する説明は省略し、主に相違点を説明する。
【００８２】
図１５において、被固定部案内壁１６ｄは、フック（内蓋調整部）１４の先端部から内蓋装着位置４Ａに向かって収束するように形成されている。より具体的には、被固定部案内壁１６ｄは、ヒンジ軸Ｄに向かうに従い内蓋装着位置４Ａに近づくように傾斜している。ここで、内蓋４の被固定部４ｂにも、フック１４の傾斜面（下曲面部）１４ａと同様に、ヒンジ軸Ｄに向かうに従い内蓋装着位置４Ａに近づくように傾斜面又は曲面形状の誘導部４ｆが設けられている。このため、蓋本体３が閉じられる際に生じる遠心力で内蓋４の被固定部４ｂがフック１４の傾斜面１４ａ及び被固定部案内壁１６ｄに当接したとしても、内蓋４はそれらに沿って確実に摺動することができる。
【００８３】
以上のように構成された本第２実施形態の炊飯器について、図１５、及び図１６Ａ〜図１６Ｃを参照しつつ、以下にその動作、作用について説明する。図１６Ａ〜図１６Ｃは、本発明の第２実施形態における炊飯器において、蓋本体３が閉じられるときの過程を示す断面図である。
【００８４】
内蓋４が傾斜位置で係止された状態（図１参照）で蓋本体３が閉じられると、蓋本体３の回転移動に伴って内蓋４は以下のように移動する。
まず、内蓋４の被固定部４ｂが鍋２に当接し、内蓋４の回転が止まる。次いで、内蓋４の被係止部４ａと内蓋係止部１２との係止状態が解除される。次いで、内蓋４は、蓋本体３の回転移動による遠心力により、図１５に示すように、内蓋係止部１２から少し前方に飛び出す。次いで、図１６Ａに示すように、内蓋４の被固定部４ｂの誘導部４ｆがフック１４の傾斜面１４ａに当接する。次いで、図１６Ｂに示すように、被固定部４ｂが被固定部案内壁１６ｄに沿って移動する。このとき、内蓋４は被固定部案内壁１６ｄにより内蓋係止部１２側に押され、被係止部４ａがほぼ前記飛び出し量だけ内蓋係止部１２内に押し戻される。内蓋４の被固定部案内壁１６ｄが、被固定部案内壁１６ｄに沿って移動して、図１６Ｃに示すようにフック１３ｂと係合すると、内蓋４は内蓋装着位置４Ａに固定される。
【００８５】
以上のように、本第２実施形態においては、使用者が蓋本体３を閉じる際に内蓋４が少し飛び出たとしても、内蓋４は蓋本体３のフック１４及び被固定部案内壁１６ｄにより、ほぼ前記飛び出し量だけ内蓋係止部１２内に押し戻される。これにより、より確実に内蓋装着位置４Ａに内蓋４を固定することができ、炊飯中に内蓋パッキン１１と鍋２との間から蒸気が漏れ出て炊飯が失敗してしまうことを防ぐことができる。したがって、本第２実施形態によれば、炊飯を失敗しにくい信頼性の高い炊飯器を提供することができる。
【００８６】
なお、本第２実施形態においては、内蓋４の被固定部４ｄに誘導部４ｆを設けたが、本発明はこれに限定されない。例えば、図１５に示すように、被係止部４ａに誘導部４ｆ−１を設けてもよい。
【００８７】
なお、本第２実施形態においては、フック１４の傾斜面１４ａ上を誘導部４ｆが摺動するように構成したが、本発明はこれに限定されない。蓋本体３を閉める際に内蓋係止部１２から飛び出した内蓋４を内蓋係止部１２内へ押し戻すことができる構成であればよい。
【００８８】
《第３実施形態》
図１７は、本発明の第３実施形態における炊飯器の一部拡大断面図である。本発明の第３実施形態における炊飯器は、内蓋係止部１２が係止用突起部１２ｂに代えてダンパー部１８を備える点で第１実施形態における炊飯器と異なる。その他の構成は第１実施形態の炊飯器と同様であるため、重複する説明は省略し、主に相違点を説明する。
【００８９】
図１７に示すように、本第３実施形態における炊飯器においては、溝部１２ａの蓋本体３側の側壁をダンパー部１８で構成している。ダンパー部１８は、溝部１２ａの鍋２側の側壁１２ｈに対して前後方向に移動可能に設けられた摩擦壁（摩擦部）１８ｂと、側壁１２ｈに向けて摩擦壁１８ｂを付勢するバネ１８ａとで構成されている。内蓋４が自立するまで傾斜するにつれて内蓋４の回転に対して逆向きの力が働く構成となっている。
【００９０】
以上のように構成された炊飯器について、図１７を参照しつつ、以下にその動作、作用について説明する。
【００９１】
内蓋４を取り外すために、使用者が前記解除装置を操作して内蓋４の固定を解除すると、内蓋４は自重で倒れ、Ｘ方向に回転移動する。これにより、まず、内蓋４の被係止部４ａが角部１２ｃに当接する。この後、内蓋４は角部１２ｃを回転軸ＢとしてＸ方向に回転移動し、図１７に示すように、被係止部４ａが摩擦壁１８ｂと当接する。このとき、摩擦壁１８ｂはバネ１８ａの付勢力を受けて、内蓋４の回転移動による回転力に対して摩擦力（反力）を生じさせる。すなわち、内蓋４の被係止部４ａは、摩擦壁１８ｂにより回転移動方向と反対方向（−Ｘ方向）に力を受ける。これにより、内蓋４は、ダンパー部１８を設けない場合よりも低い速度で回転することとなり、内蓋４が内蓋係止部１２と衝突する際の衝撃が低減される。
【００９２】
また、内蓋４を傾斜位置で係止された状態で蓋本体３を閉める際、ダンパー部１８により内蓋４が角部１２ｃ（回転軸Ｂ）に押しつけられた状態で回転することとなる。このため、内蓋４が内蓋係止部１２から外れにくくなり、より確実に内蓋装着位置４Ａに内蓋４が固定される。
【００９３】
以上のように、本第３実施形態においては、ダンパー部１８を設けることにより、内蓋４の固定状態から係止状態への回転移動時に、内蓋４が内蓋係止部１２に衝突する衝撃を低減させることができる。これにより、内蓋係止部１２の各部品、被係止部４ａなどの破損を防ぐことができ、炊飯器の信頼性を高めることができる。
また、本第３実施形態においては、内蓋４を傾斜位置で係止した状態で蓋本体３を閉める際には、ダンパー部１８により内蓋４が角部１２ｃ（回転軸Ｂ）に押しつけられた状態で回転する。このため、内蓋４が内蓋係止部１２の溝部１２ａから外れにくくなり、確実に内蓋装着位置４Ａに内蓋４を固定することができる。また、ダンパー部１８により内蓋４は低い速度で回転するので、使用者の安心感をも高めた炊飯器を提供することができる。
【００９４】
なお、ダンパー部１８は、蓋本体３ではなく、内蓋４に設けてもよい。
【００９５】
なお、ダンパー部１８の摩擦壁１８ｂを付勢する部材は、バネ１８ａに限定されるものではなく、ツメ形状など弾性を備えた形状に形成された部材などでもよい。内蓋４が固定状態から係止状態へと移行するときの回転速度を低減できるようにダンパー部１８を構成すればよい。
【００９６】
《第４実施形態》
図１８は、本発明の第４実施形態における炊飯器の断面図である。本発明の第４実施形態における炊飯器は、内蓋４の重心Ｆが中心Ｇよりもヒンジ軸Ｄ側に位置する点で第１実施形態における炊飯器と異なる。その他の構成は第１実施形態の炊飯器と同様であるため、重複する説明は省略し、主に相違点を説明する。
【００９７】
本第４実施形態においては、内蓋４の中心Ｇよりもヒンジ軸Ｄ側に配置される部分（被係止部４ａ側の部分）の重量を増加させて、内蓋４の重量バランスを調整している。これにより、図１８に示すように、内蓋４の重心Ｆが中心Ｇよりもヒンジ軸Ｄ側に位置するようにしている。また、図示していないが、内蓋４の略左右中心軸Ｃ（図５参照）上に重心Ｆが存在するように内蓋４を構成している。
【００９８】
以上のように構成された本第４実施形態における炊飯器について、図１８を参照しつつ以下、その動作、作用について説明する。
【００９９】
内蓋４を取り外すために、使用者が前記解除装置を操作して内蓋４の固定を解除すると、内蓋４は自重で倒れ、Ｘ方向に回転移動する。これにより、まず、内蓋４の被係止部４ａが角部１２ｃに当接する。この後、内蓋４は、角部１２ｃを回転軸ＢとしてＸ方向に回転移動する。このとき、内蓋４の重心Ｆが中心Ｇよりもヒンジ軸Ｄ側、すなわち回転軸Ｂに近い位置に位置するので、例えば内蓋４の重心Ｆが中心Ｇに位置する場合よりも、内蓋４の回転速度は遅くなる。したがって、内蓋係止部１２と被係止部４ａとが衝突することによる衝撃は小さくなる。
【０１００】
一方、本第４実施形態における炊飯器においては、使用者が内蓋４を片手で装着できるように構成しているため、使用者が内蓋４を片手で持つ可能性が高い。このため、本第４実施形態における炊飯器においては、内蓋４の中心Ｇと重心Ｆとをずらしているので、使用者が内蓋４を片手で持つ場合の方が両手で持つ場合に比べて、使用者が意識することなく、重心Ｆが中心Ｇよりも下方（ヒンジ軸Ｄ側）に位置するように内蓋４が使用者に保持されやすくなる。したがって、使用者は内蓋４の装着向きを意識することなく、被係止部４ａを内蓋係止部１２の溝部１２ａに挿入することができる。すなわち、使用者が誤って、例えば内蓋４の被固定部４ｂ側を溝部１２ａに挿入することを無くすことができる。
【０１０１】
以上のように、本第４実施形態においては、内蓋４の重心Ｆが中心Ｇよりも被係止部４ａ側の部分に位置するようにしている。これにより、内蓋４が固定状態から係止状態に回転移動する際において、内蓋係止部１２と被係止部４ａとが衝突することにより生じる衝撃を低減することができる。したがって、信頼性の高い炊飯器を提供することができる。
また、本第４実施形態によれば、内蓋４を内蓋係止部１２の溝部１２ａに挿入する際、使用者は意識することなく、被係止部４ａ側を溝部１２ａに挿入することができる。したがって、使い勝手の良い炊飯器を提供することができる。
【０１０２】
なお、重心Ｆは内蓋４の左右中心軸Ｃ上に配置しなくてもよいが、左右中心軸Ｃの近くに配置するほど、内蓋４の固定状態から係止状態への回転移動が安定するのでよい。
【０１０３】
なお、図１８では、把手部４ｄ−１を内蓋４の左右中心軸Ｃ上に配置した例を示している。把手部４ｄ−１を内蓋４の左右中心軸Ｃ上に配置することにより、使用者は、傾斜位置で係止された内蓋４の把手部４ｄ−１を片手で保持して引くことで、把手部４ｄ−１を内蓋４の左右中心軸Ｃから離れた位置に配置した場合よりも、容易に内蓋４を取り外すことができる。このとき、両手を使用する必要が無い。
なお、この把手部４ｄ−１を内蓋４の左右中心軸Ｃ上に１つのみ配置するように構成すれば、内蓋４を係止状態にセットする際に、使用者が内蓋４を挿入する向きを間違えることを抑えることができる。したがって、片手でも扱える使い勝手の良い炊飯器を提供することができる。
【０１０４】
なお、把手部４ｄ−１は二つ以上あってもよいが、少なくとも一つは内蓋４の左右中心軸Ｃ上に配置することが好ましい。これにより、前記と同様の効果を得ることができる。
【０１０５】
なお、把手部４ｄ−１には、内蓋４を確実に保持できるように、指が入る程度の穴、凹み等が設けられることが好ましい。これにより、内蓋４の取り外しの際の保持特性を向上させて、使い勝手をよくすることができる。
【０１０６】
《第５実施形態》
図１９は、本発明の第５実施形態における炊飯器の蓋本体３の構成を示す断面図である。本発明の第５実施形態における炊飯器は、内蓋４が被係止部４ａ、被固定部４ｂ、突出部４ｃ、及び把手部４ｄをそれぞれ４つずつ有する点で第１実施形態における炊飯器と異なる。その他の構成は第１実施形態の炊飯器と同様であるため、重複する説明は省略し、主に相違点を説明する。
【０１０７】
図１９に示すように、被係止部４ａ、被固定部４ｂ、突出部４ｃ、及び把手部４ｄのそれぞれは、内蓋４の中心Ｇに対して９０度ずつ回転対象に４つ設けられている。
【０１０８】
以上のように構成された本第５実施形態の炊飯器においては、使用者が内蓋４を内蓋係止部１２に係止させるとき、４つの被係止部４ａのいずれか１つを内蓋係止部１２に係止させればよい。これにより被係止部４ａを１つのみ設ける場合と比べて、内蓋４を内蓋係止部１２に挿入する方向を使用者が注意する必要性を軽減することができる。これにより、内蓋４の取り付け性のよい、使いやすい炊飯器を提供することができる。
【０１０９】
なお、被係止部４ａ、被固定部４ｂ、突出部４ｃ、及び把手部４ｄの数は４つに限定されるものではなく、３つ以下でも５つ以上設けられてもよい。すなわち、取り付け時の方向性を使用者が意識することなく、内蓋４を内蓋装着位置４Ａに取り付けられる構成であればよい。
【０１１０】
なお、被係止部４ａ、被固定部４ｂ、突出部４ｃ、及び把手部４ｄに代えて、図２０に示す内蓋外周部４ｈと把手部４ｄとを、内蓋４の中心Ｇに対して全周に設けて、どの向きでも内蓋４を取り付けることができるようにしてもよい。
【０１１１】
なお、被係止部４ａ、把手部４ｄは、複数個設ける必要はなく、１つであってもよいし、まったくなくてもよい。
【０１１２】
《第６実施形態》
図２１及び図２２を参照しつつ、本発明の第６実施形態における炊飯器の構成について説明する。図２１は、本発明の第６実施形態における炊飯器において、内蓋が傾斜位置で係止されているときの一部断面図である。図２２は、内蓋係止部の構成を示す一部拡大平面図である。図２１に示すように、本発明の第６実施形態における炊飯器は、内蓋４の被係止部４ａ−１が断面Ｕ字状の溝部を備え、内蓋係止部１２が溝部１２ａに代えて前記溝部に抜き差し可能に形成された係止用軸部２２を備える点で、第１実施形態における炊飯器と異なる。その他の構成は第１実施形態の炊飯器と同様であるため、重複する説明は省略し、主に相違点を説明する。
【０１１３】
図２２に示すように、係止用軸部２２は、内蓋４に設けられた断面Ｕ字状の溝部に抜き差し可能に係合可能に形成された軸体２２ａと、軸体２２ａをヒンジ軸Ｄに対して平行な状態で蓋本体３に固定するリブ２２ｂとを有している。軸体２２ａは、被係止部４ａの溝部が係合したとき、被係止部４ａが軸方向（ヒンジ軸Ｄと平行な方向）、左右中心軸Ｃ方向、及び回転方向Ｅに移動しないように規制するよう、中心部から端部に向かうに従い外径が大きく形成されている。
【０１１４】
以上のように構成された本第６実施形態における炊飯器について、図２１を参照しつつ、以下、その動作、作用について説明する。
【０１１５】
まず、内蓋４の取り外し動作について説明する。
内蓋４を取り外すために、使用者が前記解除装置を操作して内蓋４の固定を解除すると、図２１に示すように、内蓋４は自重で倒れ、Ｘ方向に回転移動する。このとき、内蓋４は、被係止部４ａ−１の溝部が軸体２２ａの周りを回転する。この後、被係止部４ａ−１の一部が係止用突起部１２ｂの傾斜面１２ｄに当接し、内蓋４の回転移動が停止する。これにより、図２１に示すように、内蓋４が傾斜位置で係止される。この後、使用者がＹ方向と逆方向に抜くことで、内蓋４を取り外すことができる。
【０１１６】
次に、内蓋４の固定動作について説明する。
まず、使用者が内蓋４の被係止部４ａ−１の溝部を軸体２２ａに係合させ、図２１に示すように、内蓋４が傾斜位置で係止される。このとき、被係止部４ａ−１の溝部が軸体２２ａに係合することにより、内蓋４はヒンジ軸Ｄと平行な方向、左右中心軸Ｃ方向、及び回転方向Ｅの移動が規制される。この後、使用者が蓋本体３を開状態から閉状態に回転移動させる。この回転移動により、内蓋４の被固定部４ｂが内蓋固定部１３のフック１３ｄと当接したのち、フック１３ｄをバネ１３ａの付勢力に抗して押す。内蓋４が内蓋装着位置４Ａまで移動すると、内蓋４の被固定部４ｂとフック１３ｄとの当接状態が解除し、バネ１３ａの付勢力によりフック１３ｄが元の位置に復帰する。これにより、内蓋４が内蓋装着位置４Ａに固定される。
【０１１７】
以上のように、本第６実施形態においては、ヒンジ軸Ｄと平行な方向、左右中心軸Ｃ方向、及び回転方向Ｅの移動の規制を軸体２２ａで実現できるので、内蓋案内部１６を別途設ける必要性を無くすことができる。すなわち、内蓋案内部１６の案合機能を内蓋係止部１２が有するように構成することができる。（なお、内蓋案内部１６の案内機能を有する内蓋係止部１２を内蓋係止案内部という。）
なお、前記ではリブ２２ｂにより軸体２２ａを固定したが、軸体２２ａは両端部を蓋本体３に直接固定されてもよい。また、リブ２２ｂの個数は１つであっても、それ以上であってもよい。
【０１１８】
《第７実施形態》
図２３、図２４Ａ、及び図２４Ｂを参照しつつ、本発明の第７実施形態における炊飯器の構成について説明する。図２３は、本発明の第７実施形態における炊飯器において、内蓋係止部の構成を示す一部拡大平面図である。図２４Ａは、内蓋４が内蓋装着位置４Ａに固定される直前の状態を示す一部断面図である。図２４Ｂは、内蓋４が内蓋装着位置４Ａに固定された状態を示す一部断面図である。図２３に示すように、本発明の第７実施形態における炊飯器は、内蓋固定部１３のバネ１３ａを削除し、係止用軸部２２のリブ２２ｂに代えてバネ２２ｃを備える点で、第６実施形態における炊飯器と異なる。その他の構成は第６実施形態の炊飯器と同様であるため、重複する説明は省略し、主に相違点を説明する。
【０１１９】
図２３に示すように、バネ２２ｃは、軸体２２ａを内蓋固定部１３のフック１３ｄに近づく方向（図２３、図２４Ａ、及び図２４Ｂでは上方向）に付勢するよう構成されている。軸体２２ａは、内蓋固定部１３のフック１３ｄに対して進退方向（図２３、図２４Ａ、及び図２４Ｂでは上下方向）に移動可能に構成されている。例えば、軸体２２ａが進退方向に移動するように軸体２２ａの両端部を案内する案内溝を蓋本体３に設けてもよい。バネ２２ｃは、軸体２２ａがヒンジ軸Ｄに対して平行状態を維持したまま移動するように、軸体２２ａに均等に付勢力を与えるように構成されている。バネ２２ｃの個数は、１つであっても、それ以上であってもよい。
【０１２０】
以上のように構成された本第７実施形態における炊飯器について、図２３、図２４Ａ、及び図２４Ｂを参照しつつ、以下、その動作、作用について説明する。
【０１２１】
まず、内蓋４の取り外し動作について説明する。
内蓋４を取り外すために、使用者が前記解除装置を操作して内蓋４の固定を解除すると、内蓋４は自重で倒れ、鍋２側に回転移動する。このとき、内蓋４は、被係止部４ａ−１の溝部が軸体２２ａの周りを回転する。この後、被係止部４ａ−１の一部が係止用突起部１２ｂの傾斜面１２ｄに当接し、内蓋４の回転移動が停止する。これにより、内蓋４が傾斜位置で係止される。この後、使用者が内蓋４を抜くことで、内蓋４を取り外すことができる。なお、前記取り外し動作中において、軸体２２ａが振動して軸体２２ａと被係止部４ａ−１の溝部との係合が外れないように、バネ２２ｃの弾性係数が設定されている。
【０１２２】
次に、内蓋４の固定動作について説明する。
まず、使用者が内蓋４の被係止部４ａ−１の溝部を軸体２２ａに係合させ、内蓋４を傾斜位置で係止する。この後、使用者が蓋本体３を開状態から閉状態に回転移動させる。この回転移動により、内蓋４の被固定部４ｂの誘導部４ｆが内蓋固定部１３のフック１３ｄと当接し、内蓋４が誘導部４ｆの傾斜にならって移動する。これにより、内蓋４及び内蓋４の被係止部４ａ−１の溝部に係合する軸体２２ａがフック１３により図２３Ａの下向きに押されてバネ２２ｃが縮み、図２４Ａに示す状態になる。内蓋４が蓋本体３のリブ３ａに当接するまで移動すると、内蓋４の被固定部４ｂとフック１３ｄとの当接状態が解除し、バネ２２ａの付勢力により軸本体３ａ及び内蓋４が上方向に押される。これにより、被固定部４ｂとフック１３ｄとが係合し、内蓋４が内蓋装着位置４Ａに固定される。
【０１２３】
以上のように、本第７実施形態においては、ヒンジ軸Ｄと平行な方向、左右中心軸Ｃ方向、及び回転軸方向Ｅの内蓋４の移動の案内を軸体２２ａで実現できるので、内蓋案内部１６を別途設ける必要性を無くすことができる。すなわち、内蓋案内部１６の案合機能を内蓋係止部１２が有するように構成することができる。（なお、内蓋案内部１６の案内機能を有する内蓋係止部１２を内蓋係止案内部という。）
また、他の実施形態では、内蓋装着位置４Ａに移動された内蓋４を内蓋固定部１３で固定するようにしたが、本第７実施形態においては、内蓋係止部２２がバネ２２ｃによりフック１３ｂに内蓋４の被係止部４ａを押しつけて、内蓋４を内蓋装着位置４Ａに固定するようにしている。すなわち、内蓋固定部１３にはフック１３ｂのような内蓋４を当て止め可能な部材が備えられていればよく、内蓋係止部２２に内蓋４を内蓋装着位置４Ａに固定（付勢）する機能を持たせることができる。
【０１２４】
なお、本発明は前記各実施形態に限定されるものではなく、その他種々の態様で実施できる。
例えば、前記では、内蓋固定部１３はバネ１３ａとフック１３ｂとで構成されるものとしたが、図２５に示すように、フック１３ｂと、フック１３ｂに固定される例えばソレノイドで構成される自動固定解除装置（自動固定解除手段）１９と、磁力検知装置（磁力検知手段）２０ａ及び磁石２０ｂを備える蓋開放検知装置（蓋開放検知手段）２０とで構成してもよい。
蓋本体３が閉じていると、磁石２０ｂが磁力検知装置２０ａに接近する一方、蓋本体３が開放されると、磁石２０ｂが図２５に示す通り磁力検知装置２０ａから離れる。蓋開放検知装置２０は、この二つの状態の磁力差から蓋本体３の開閉状態を検知する。内蓋４の固定を解除する場合、例えば蓋開放検知装置２０が一定時間（例えば５分）以上蓋本体３が開放していると検知すると、制御装置７が自動固定解除装置１９を動作させてフック１３ｂを前方（フック１４側）に移動させ、フック１３ｂによる内蓋４の固定（被固定部４ｂとの係合）を解除するようにしてもよい。蓋本体３を一定時間以上開放している状態は大抵炊飯又は保温が終わった状態であり、内蓋４のお手入れを行う場面であることが多い。したがって、前記のように構成することで、前記のような場面で内蓋４をさらに取り外しやすくすることができる。これにより、使い勝手のよい炊飯器を提供することができる。
【０１２５】
また、炊飯又は保温を終了した直後には、内蓋４は１００℃近くの高温になっている場合がある。これに対して前記構成によれば、一定時間経過後、自動的に内蓋４の固定を解除して内蓋４を蓋本体３から離して傾斜位置で係止させるので、内蓋４は内蓋装着位置４Ａに固定された状態よりも冷却されやすくなる。これにより、使用者がお手入れする際、内蓋４の温度を低減して火傷の恐れを抑えることができ、使い勝手のよい炊飯器を提供することができる。
【０１２６】
なお、自動固定解除装置１９は、ソレノイド以外にもモーターなど他の手段で構成されてもよく、内蓋４の固定を解除できるように構成されればよい。
【０１２７】
なお、蓋開放検知装置２０は、磁力検知装置２０ａ及び磁石２０ｂで構成されることに限定されるものではなく、蓋本体３が閉じる時に蓋本体３の回転移動に伴って移動するピン又はプッシュスイッチなどの他の手段で構成されてもよい。蓋本体３の開放が検知できるように蓋開放検知装置２０は構成されればよい。
【０１２８】
なお、前記では、蓋開放検知装置２０が一定時間（例えば５分）以上蓋本体３が開放していると検知すると、制御装置７が自動固定解除装置１９を動作させて内蓋４の固定を解除するようにしたが、本発明はこれに限定されない。
例えば、制御装置７が炊飯の停止及び保温の停止を検知したのち、蓋本体３が開放されて一定時間（例えば３分）以上蓋が開いたままになっていることを検知したときに、自動固定解除装置１９を動作させて内蓋４の固定を解除するようにしてもよい。これにより、使用者が内蓋４のお手入れを行う際に、より確実に火傷の恐れを抑えることができ、内蓋４を取り外しやすくして、使い勝手のよい炊飯器を提供することができる。
【０１２９】
また、内蓋温度センサー９により内蓋４の温度を検知し、蓋本体３が開放された際に、この温度が一定温度（例えば８０℃）以上であれば、制御装置７は自動固定解除装置１９を動作させて内蓋４の固定を解除するようにしてもよい。この場合、内蓋４が内蓋装着位置４Ａに固定された状態であるときには、内蓋４が一定温度よりも低いことを使用者が知ることができる。一方、内蓋４が傾斜位置で係止されている時には、内蓋４の固定が解除されてすぐは、内蓋４が高温であるということを使用者が知ることができる。これにより、炊飯器の使い勝手が向上する。
【０１３０】
なお、前記各実施形態において、鍋加熱装置５は、鍋２を誘導加熱するＩＨコイルで構成されてもよいし、ヒーター線などの他の部材で構成されてもよい。鍋加熱装置５は、鍋２を誘導加熱する構成に限定されず、鍋２を加熱できるように構成されていればよい。例えば、底内コイル５ａが取り付けられたコイルベース５ａの底部の部分に代えて、アルミニウムなどの熱伝導率の高い材料内にヒーターを鋳込んだ、いわゆる鋳込みヒーターを備えて、当該鋳込みヒーターにより鍋２を直接的に加熱するように構成されてもよい。
【０１３１】
なお、前記各実施形態において、内蓋加熱装置１０は、鍋加熱装置５と同様に、ＩＨコイルで構成されてもよいし、ヒーター線などの他の部材で構成されてもよい。また、内蓋加熱装置１０は、内蓋４を誘導加熱する構成に限定されず、内蓋４を加熱できるように構成されていればよい。あるいは、内蓋加熱装置１０はなくてもよい。
【０１３２】
なお、前記各実施形態において、内蓋４の材質は、金属である必要はなく、炭素材料などの誘導加熱できる材質であればよい。内蓋加熱装置１０がＩＨコイル以外で構成される場合には、これに対応した材質で内蓋４が構成されていればよい。
【０１３３】
なお、前記各実施形態において、内蓋４の金属部分をアルミなど比重の軽い金属、樹脂などで構成してもよい。内蓋４の重量を軽くすることで、内蓋４が固定状態から係止状態へ移行する際に、内蓋係止部１２と被係止部４ａとが衝突することによる衝撃を軽減することができる。
【０１３４】
なお、前記各実施形態において、内蓋固定部１３は、フック１３ｂをスライドさせることで内蓋４を固定するようにしたが、本発明はこれに限定されない。例えば、ラッチレバーと磁石とを用いて、内蓋４を内蓋装着位置４Ａに固定するようにしてもよい。その他、内蓋４を内蓋装着位置４Ａに固定できる構成であればよい。
【０１３５】
なお、前記各実施形態において、蓋本体３及び内蓋４には、内蓋４を予め決められた角度Ａでスライド移動させながら係止することを容易にする溝、ガイドなどで構成される案内部が設けられることが好ましい。これにより、さらに、内蓋４を傾斜位置で係止するときの操作性を向上させることができる。
【０１３６】
なお、前記各実施形態において、制御装置７は、炊飯器本体１内にあっても、蓋本体３内にあってもよい。
【０１３７】
なお、前記各実施形態においては、内蓋４は傾斜位置で係止された状態から回転移動して固定状態に移行すると記述したが、本発明はこれに限定されない。例えば、内蓋４が、前記回転移動する途中にＸ方向以外にも移動してもよい。
【０１３８】
なお、前記各実施形態において、炊飯器本体１は鍋２内の圧力を調整する圧力調整装置を別途備えて、炊飯時に大気圧以上の圧力下で炊飯を行うことができるように構成してもよい。
なお、前記様々な実施形態のうちの任意の実施形態を適宜組み合わせることにより、それぞれの有する効果を奏するようにすることができる。
【産業上の利用可能性】
【０１３９】
本発明にかかる炊飯器は、内蓋の着脱時の操作性を向上することができるので、内蓋を有する炊飯器に有用である。また、回転開閉する蓋と、当該蓋に着脱自在に固定される内蓋を有する他の機器の用途にも適用できる。
【図面の簡単な説明】
【０１４０】
【図１】本発明の第１実施形態における炊飯器において、内蓋が傾斜位置で係止されているときの断面図である。
【図２】本発明の第１実施形態における炊飯器において、蓋本体が閉状態であるときの断面図である。
【図３】本発明の第１実施形態における炊飯器において、蓋本体が開状態であるときの断面図である。
【図４】図１の一部拡大断面図である。
【図５】本発明の第１実施形態における炊飯器の蓋本体の構成を示す平面図である。
【図６Ａ】本発明の第１実施形態における炊飯器において、内蓋案内部が内蓋を案内する過程を示す一部断面図である。
【図６Ｂ】本発明の第１実施形態における炊飯器において、内蓋案内部が内蓋を案内する過程を示す一部断面図である。
【図６Ｃ】本発明の第１実施形態における炊飯器において、内蓋案内部が内蓋を案内する過程を示す一部断面図である。
【図７Ａ】本発明の第１実施形態における炊飯器において、内蓋案内部が内蓋を案内する過程を示す一部断面図である。
【図７Ｂ】本発明の第１実施形態における炊飯器において、内蓋案内部が内蓋を案内する過程を示す一部断面図である。
【図７Ｃ】本発明の第１実施形態における炊飯器において、内蓋案内部が内蓋を案内する過程を示す一部断面図である。
【図８】本発明の第１実施形態における炊飯器の内蓋固定部の他の構成を示す平面図である。
【図９】本発明の第１実施形態における炊飯器の内蓋係止部の他の構成を示す一部拡大断面図である。
【図１０】本発明の第１実施形態における炊飯器の内蓋係止部のさらに他の構成を示す平面図である。
【図１１Ａ】本発明の第１実施形態における炊飯器の内蓋係止部のさらに他の構成を示す断面図である。
【図１１Ｂ】図１１Ａの一部拡大断面図である。
【図１２】本発明の第１実施形態における炊飯器の内蓋固定部のさらに他の構成を示す平面図である。
【図１３】本発明の第１実施形態における炊飯器の内蓋固定部のさらに他の構成を示す一部断面図である。
【図１４Ａ】本発明の第１実施形態における炊飯器の内蓋固定部のさらに他の構成を示す一部拡大断面図である。
【図１４Ｂ】本発明の第１実施形態における炊飯器の内蓋固定部のさらに他の構成を示す一部断面図である。
【図１４Ｃ】本発明の第１実施形態における炊飯器の内蓋固定部のさらに他の構成を示す一部断面図である。
【図１５】本発明の第２実施形態における炊飯器の構成を示す断面図である。
【図１６Ａ】本発明の第２実施形態における炊飯器において、蓋本体が閉じられるときの過程を示す断面図である。
【図１６Ｂ】本発明の第２実施形態における炊飯器において、蓋本体が閉じられるときの過程を示す断面図である。
【図１６Ｃ】本発明の第２実施形態における炊飯器において、蓋本体が閉じられるときの過程を示す断面図である。
【図１７】本発明の第３実施形態における炊飯器の一部拡大断面図である。
【図１８】本発明の第４実施形態における炊飯器の断面図である。
【図１９】本発明の第５実施形態における炊飯器の蓋本体の構成を示す平面図である。
【図２０】本発明の第５実施形態における炊飯器の内蓋の他の構成を示す一部拡大断面図である。
【図２１】本発明の第６実施形態における炊飯器において、内蓋が傾斜位置で係止されているときの一部断面図である。
【図２２】本発明の第６実施形態における炊飯器の内蓋係止部の構成を示す一部拡大平面図である。
【図２３】本発明の第７実施形態における炊飯器の内蓋係止部の構成を示す一部拡大平面図である。
【図２４Ａ】本発明の第７実施形態における炊飯器において、内蓋が内蓋装着位置に固定される直前の状態を示す一部断面図である。
【図２４Ｂ】本発明の第７実施形態における炊飯器において、内蓋が内蓋装着位置に固定された状態を示す一部断面図である。
【図２５】本発明の変形形態における炊飯器の一部拡大断面図である。
【図２６】従来の炊飯器の構成を示す断面図である。
【符号の説明】
【０１４１】
１    炊飯器本体
２    鍋
３    蓋本体
４    内蓋
４ｆ  誘導部
５    鍋加熱装置
６    鍋温度センサー
７    制御装置
８    蒸気筒
９    内蓋温度センサー
１０    内蓋加熱装置
１１    内蓋パッキン
１２    内蓋係止部
１３    内蓋固定部
１４    フック
１６    内蓋案内部
【図１】
0004649424.tif 000002
【図２】
0004649424.tif 000003
【図３】
0004649424.tif 000004
【図４】
0004649424.tif 000005
【図５】
0004649424.tif 000006
【図６Ａ】
0004649424.tif 000007
【図６Ｂ】
0004649424.tif 000008
【図６Ｃ】
0004649424.tif 000009
【図７Ａ】
0004649424.tif 000010
【図７Ｂ】
0004649424.tif 000011
【図７Ｃ】
0004649424.tif 000012
【図８】
0004649424.tif 000013
【図９】
0004649424.tif 000014
【図１０】
0004649424.tif 000015
【図１１Ａ】
0004649424.tif 000016
【図１１Ｂ】
0004649424.tif 000017
【図１２】
0004649424.tif 000018
【図１３】
0004649424.tif 000019
【図１４Ａ】
0004649424.tif 000020
【図１４Ｂ】
0004649424.tif 000021
【図１４Ｃ】
0004649424.tif 000022
【図１５】
0004649424.tif 000023
【図１６Ａ】
0004649424.tif 000024
【図１６Ｂ】
0004649424.tif 000025
【図１６Ｃ】
0004649424.tif 000026
【図１７】
0004649424.tif 000027
【図１８】
0004649424.tif 000028
【図１９】
0004649424.tif 000029
【図２０】
0004649424.tif 000030
【図２１】
0004649424.tif 000031
【図２２】
0004649424.tif 000032
【図２３】
0004649424.tif 000033
【図２４Ａ】
0004649424.tif 000034
【図２４Ｂ】
0004649424.tif 000035
【図２５】
0004649424.tif 000036
【図２６】
0004649424.tif 000037